(57)【要約】【課題】  作業効率を向上し、且つ製品コストを抑制することができる光ファイバ心線対照方法、及び光ファイバ心線対照装置を提供する。【解決手段】  本発明によれば、凸部２又は凹部３は、漏洩光を受光する受光素子１０を備え、凸部２又は凹部３は、内部に中空部４を備え、この中空部４には、受光素子１０に対向する位置に開口される開口部８ｄと、この開口部８ｄの左右両側であって光ファイバ上に開口される第１の光取り入れ口８ａ及び第２の光取り入れ口８ｂと、この第１及び第２の光取り入れ口８ａ及び８ｂから取り込まれた漏洩光を受光素子１０に導く第１導光手段５及び第２の導光手段６と、一方の光取り入れ口から取り込まれた漏洩光を遮断する遮断手段７ａとを少なくとも備えので、１個の受光素子１０を用い１回の測定で伝送方向を判別又は心線対照検出を行うことができる。【選択図】図１
2005265524.tif 000002
【特許請求の範囲】
【請求項１】
光ファイバの一部を凸部と凹部で挟み込み、曲げが付与された該光ファイバから漏洩する光の強度を測定する光ファイバ心線対照装置であって、
前記凹部又は凸部は、漏洩光を受光する受光素子を備え、
前記凸部又は凹部は、内部に中空部を備え、該中空部には、前記受光素子に対向する位置に開口される開口部と、該開口部の左右両側であって光ファイバ上に開口される第１の光取り入れ口及び第２の光取り入れ口と、該第１及び第２の光取り入れ口から取り込まれた漏洩光を受光素子に導く第１導光手段及び第２の導光手段と、一方の光取り入れ口から取り込まれた漏洩光を遮断する遮断手段とを少なくとも備えることを特徴とする光ファイバ心線対照装置。
【請求項２】
前記遮断手段は、光を透過させない不透板であり、前記第１の光取り込み口から取り込んだ漏洩光を前記第１導光手段を介して前記受光素子に導く光路、又は前記第２の光取り込み口から取り込んだ漏洩光を前記第２導光手段を介して前記受光素子に導く光路のどちらか一方を塞ぐ切替可能な１枚の板であることを特徴とする請求項１記載の光ファイバ心線対照装置。
【請求項３】
光ファイバの一部を凸部と凹部で挟み込み、曲げが付与された該光ファイバから漏洩する光の強度を測定する光ファイバ心線対照方法であって、
光ファイバの一部に曲げを付与する工程と、曲げが付与された凹部先端を中心に一方の側に設けられる第１の取り入れ口から漏洩する漏洩光の強度を測定する第１の光強度測定工程と、前記凹部先端を中心に他方の側に設けられる第２の取り入れ口から漏洩する漏洩光の強度を測定する第２の光強度測定工程と、第１の光強度測定工程によって測定された光強度と第２の光強度測定工程によって測定された光強度とを比較する工程とを有することを特徴とする光ファイバ心線対照方法。
【請求項４】
光ファイバの一部を凸部と凹部で挟み込み、曲げが付与された該光ファイバから漏洩する光の強度を測定する光ファイバ心線対照装置であって、
前記凹部は、曲げを付与する凹部先端を中心に両側に開口される漏洩光を取り込むための第１開口部及び第２開口部と、該第１及び第２開口部を受光素子面上に連続して滑動する滑動手段を少なくとも備え、
前記凸部は、前記凹部と連動して滑動する滑動手段を備え、
前記凸部と前記凹部で前記光ファイバの一部を把持した状態で、該凸部、該凹部及び光ファイバを一体に前記受光素子面上を滑動させて前記凹部に設けられる第１及び第２開口部を介して漏洩光を受光することを特徴とする光ファイバ心線対照装置。
【請求項５】
光ファイバの一部を凸部と凹部で挟み込み、曲げが付与された該光ファイバから漏洩する光の強度を測定する光ファイバ心線対照装置であって、
前記凹部は、曲げを付与する凹部先端を中心に両側に開口される漏洩光を取り込むための第１開口部及び第２開口部と、該第１及び第２開口部を受光素子面上に連続して滑動する滑動手段を少なくとも備え、
前記凸部と前記凹部で前記光ファイバの一部を把持した状態で、前記凹部のみを滑動させて前記凹部に設けられる第１及び第２開口部を介して漏洩光を受光することを特徴とする光ファイバ心線対照装置。
【請求項６】
光ファイバの一部を凸部と凹部で挟み込み、曲げが付与された該光ファイバから漏洩する光の強度を測定する光ファイバ心線対照装置であって、
前記凹部は、曲げを付与する凹部先端を中心に両側に開口される漏洩光を取り込むための第１開口部及び第２開口部を備え、
漏洩光を受光する受光部は、該第１及び第２開口部を連続して通過する滑動手段を備え、
前記凸部と前記凹部で前記光ファイバの一部を把持した状態で、前記受光部のみを前記凹部に設けられる第１及び第２開口部面上を連続して滑動させて各漏洩光を受光することを特徴とする光ファイバ心線対照装置。
【発明の詳細な説明】
【技術分野】
【０００１】
本発明は、非破壊で光ファイバ心線の心線対照や活線判別を行う曲げ部を備える光ファイバ心線対照装置、及び光ファイバ心線対照方法に関する。
【背景技術】
【０００２】
光ファイバの敷設・保守・撤去等を行う場合、光ファイバに曲げを加え、その部位から僅かに漏れてくる通信光や特定の信号光を検出することで、通信光の有無を非破壊で判別する活線判別方法や、特定の光ファイバであるか否かを判定する光ファイバ心線対照方法が一般に利用されている。
【０００３】
図８は、このような光ファイバ心線対照方法の構成を示す図である。この心線対照装置１００は、大きく分けて送信側と受信側に分けられており、送信側は、光ファイバ１０４と、この光ファイバ１０４の一端に接続される発光素子１０２と、この発光素子１０２に送信信号を出力する発振器１０３とを少なくとも有し、受信側は、光ファイバ１０４からの漏洩光を検出して光／電気変換する受光素子１０９と、受光素子１０９で検出された微弱電流を増幅する増幅回路１０５と、増幅された電流波形から不要な周波数を取り除くバンドパスフィルタ１０６と、取り出された特定周波数を整流する整流回路１０７と、整流後の信号を送信側の通信信号と比較するコンパレータ１０８と、比較の結果を判定する判定部１１０とを少なくとも備えている。
【０００４】
このような構成を有する心線対照装置１００において心線対照検査を行う場合は、送信側の発振器１０３から低周波（一般的に２７０Ｈｚが多い）で変調された光（例えば、１．５５μｍ）を発光素子１０２で光に変換し、対照する目的の光ファイバ心線の片端に入射させる。
【０００５】
そして受信側では、複数の光ファイバの中から１本の光ファイバを引き出し、その光ファイバの一部分に曲げ加え、その曲げ部分から漏れた漏洩光を受光素子（例えばＰＤ（photo diode））で受光する。受光素子１０９で光／電気変換された信号はバンドパスフィルタ１０６により入射光と同じ周波数付近の成分（一般的に２７０Ｈｚが多い）が取り出され、整流回路１０７で直流化される。直流化された信号は、コンパレータ１０８で入射光と同じ周波数成分のレベルと比較され、周波数成分が一致すれば対照物であると判定され、一致しない場合は対照物ではないと判定される。対照物でないと判定された場合は、次の光ファイバを引き出して上記一連の作業により心線対照を繰り返し行う。このようにして心線対照を行う。
【０００６】
次に、図９を参照して活線判別装置１１１の構成及び動作を説明する。この活線判別装置１１１は、上記心線対照装置１００を略同一の構成を有している。異なる点は、心線対照装置１００の発振器１０３が通信信号１１２に代替される点と、心線対照装置１００のバンドパスフィルタ１０６及び整流回路１０７が不要になる点である。信号を平準化するために、バンドパスフィルタ１０６と整流回路１０７をローパスフィルタに置き換えても良い。
【０００７】
このような構成を有する活線判別装置１１１において活線判別を行う場合は、まず送信側の通信信号１１２から電気信号を発光素子１０２に出力し、発光素子１０２にて電気信号から光信号に変換する。そしてこの光信号を活線判別したい光ファイバの片端に入射させる。受信側では、活線判別したい光ファイバの一部に曲げを加え、これにより漏れた漏洩光を受光素子１０９で受光する。受光素子はこの光信号を電気信号に変換する。この電気信号はコンパレータで一定基準以上のレベルであるか否か判定され、基準レベル以上であると判定された場合には活線と判断され、基準以下のレベルであると判定された場合には不活線と判断される。このようにして活線判定が行われる。
【０００８】
上記した心線対照装置１００及び活線判別装置１１１において、通常は光ファイバからの漏洩光を発生させるために、図１０に示す曲げ部１２０を用いる。
【０００９】
この曲げ部１２０は、凸部１２１と凹部１２２を嵌合させる構成を有しており、凸部１２１と凹部１２２の間に光ファイバ１２４を挟み、曲げを加えることで漏洩光を発生させるものである。発生した漏洩光は凸部１２１か凹部１２２のどちらか一方に設けられた受光素子１２３で受光されることで心線対照が実現する。また、活線判別を行う場合は、受光素子１２３で通信光を受信することで活線状態を検出できる。
【００１０】
ところで、漏洩光は光信号の伝送方向により強度分布が異なるものである。従って図１０において、伝送方向が左から右に抜けるときは受光素子１２３の手前のカーブで漏洩光強度分布が弱く検出され、受光素子１２３を越えた後のカーブで強く検出される。この現象を利用して図１１（ａ），（ｂ）に示すような、伝送方向を判別する方法が発案されている。
【００１１】
この曲げ部１３０は、凸部１３１及び凹部１３２のカーブを左右非対称とする構成を有している。このような構成にすることで、入射方向の違いにより受光素子１３３で受光可能な漏洩光の量に差がでるので、これにより１本の光ファイバ１３４を左右逆向きに各１回ずつ（合計２回）測定し、そのレベルの差から伝送方向を判別することが可能となる。この技術は非特許文献１に開示されている。
【００１２】
また、この現象を利用して図１２に示す構成を有する曲げ部１４０も提案されている。この曲げ部１４０の凹部１４２には、受光素子１４５と受光素子１４６が設けられており、この受光強度を比較することで伝送方向を判定する方法である。例えば、受光素子１４５で検出された信号光強度をＰａ、受光素子１４６で検出された信号光強度をＰｂとすると、Ｐａ＜Ｐｂの場合は信号光の伝送方向が左から右に伝播しており、Ｐａ＞Ｐｂの場合は信号光の伝送方向が右から左に伝播していると判別できる。
【００１３】
また、他の従来技術として、図１３（ａ），（ｂ）に示す検出方法が挙げられる。この方法は、光ファイバ１５０に新たな曲げを付与することで損失の増減をもとに伝送方向を判別するものである。同図に示すように、信号光の漏れを検出する光ファイバ１５０の特定部位の片側、または両側に適当な損失を与える曲げ手段を設け、この手段で新たに曲げを加えた状態と加えない状態での信号光強度を比較し伝送方向を判別する。
【００１４】
例えば図１３（ａ）の状態で、受光素子１５１に検出された信号光強度をＰｃ、図１３（ｂ）の状態で、受光素子１５１に検出された信号光強度をＰｄとする。図１３（ｂ）のように、受光素子１５１の左側に曲げ付与ａを加えた場合、信号光が左から右に伝送されているときは、曲げによる損失が生じた後に信号光検出を行うため、Ｐｃ＞Ｐｄとなる。信号光が右から左に伝送されているときは、信号光検出後に曲げによる損失が生じるためＰｃ＝Ｐｄとなる。したがってＰｃとＰｄを比較することで信号光の伝送方向を判別することができる。
【００１５】
曲げによる損失を一定レベルに抑えたい場合は、一定の曲げ損失を加える治具を用いれば良い。特に損失レベルを問題にしない場合は、作業者が手で光ファイバに適当な曲げを加えても判定は可能である。
【００１６】
また更に図１４は、上記図１３の伝送方向の判定確度をより高める方法の構成一例を示す図である。図１３と異なる点は、信号光の漏れを検出する部位の両側に曲げを加える点（曲げ付与ａと曲げ付与ｂ）を設ける点にある。このような構成において図１４（ａ）の状態で受光素子１５１に検出された信号光強度をＰｅ、図１４（ｂ）の状態で検出された信号光強度をＰｆとすると、Ｐｅ＜Ｐｆのときは信号光の伝送方向は左から右、Ｐｅ＞Ｐｆのときは信号光の伝送方向は右から左に伝播していると判別することができる。
【特許文献１】特開２００３−１８０００８号公報
【非特許文献１】「ＮＴＴ  国調２００２第２００４号  光ファイバ対照受光装置  調達説明書」
【発明の開示】
【発明が解決しようとする課題】
【００１７】
ところで、図１１に示した伝送方向判別方法では、方向判別を行うために最低２回、光ファイバを挟み直して測定を行う必要がある。そのため測定作業時間が２回分掛かり効率的ではないという問題がある。
【００１８】
また、光ファイバの敷設状態によって、充分な余長がない場合は、十分な作業スペースが確保できず、左右逆方向の測定ができない場合があるという問題がある。
【００１９】
一方、図１２に示した方法では、信号光の伝送方向を判定するために受光素子を２つ用いるが、受光素子は一般に高価な部品であり、更に受光素子１個に付き電気／光変換回路もそれぞれ必要となることから装置全体のコストが高くなるという問題がある。
【００２０】
また、図１３及び図１４に示した方法では、新たな曲げにより損失を付加しなければならないため、曲げによる損失を低レベルに抑える必要がある場合には、正確に検出できない場合があるという問題がある。
【００２１】
本発明は、上記課題を鑑みてなされたもので、その目的は、作業効率を向上し、且つ製品コストを抑制することができる光ファイバ心線対照装置、及び光ファイバ心線対照方法を提供する。
【課題を解決するための手段】
【００２２】
上記課題を解決するために請求項１記載の本発明は、光ファイバの一部を凸部と凹部で挟み込み、曲げが付与されたこの光ファイバから漏洩する光の強度を測定する光ファイバ心線対照装置であって、凹部又は凸部は、漏洩光を受光する受光素子を備え、凸部又は凹部は、内部に中空部を備え、この中空部には、受光素子に対向する位置に開口される開口部と、この開口部の左右両側であって光ファイバ上に開口される第１の光取り入れ口及び第２の光取り入れ口と、この第１及び第２の光取り入れ口から取り込まれた漏洩光を受光素子に導く第１導光手段及び第２の導光手段と、一方の光取り入れ口から取り込まれた漏洩光を遮断する遮断手段とを少なくとも備えることを要旨とする。
【００２３】
請求項２記載の本発明は、遮断手段は、光を透過させない不透板であり、第１の光取り込み口から取り込んだ漏洩光を第１導光手段を介して受光素子に導く光路、又は第２の光取り込み口から取り込んだ漏洩光を第２導光手段を介して受光素子に導く光路のどちらか一方を塞ぐ切替可能な１枚の板であることを要旨とする。
【００２４】
請求項３記載の本発明は、光ファイバの一部を凸部と凹部で挟み込み、曲げが付与されたこの光ファイバから漏洩する光の強度を測定する光ファイバ心線対照方法であって、光ファイバの一部に曲げを付与する工程と、曲げが付与された凹部先端を中心に一方の側に設けられる第１の取り入れ口から漏洩する漏洩光の強度を測定する第１の光強度測定工程と、凹部先端を中心に他方の側に設けられる第２の取り入れ口から漏洩する漏洩光の強度を測定する第２の光強度測定工程と、第１の光強度測定工程によって測定された光強度と第２の光強度測定工程によって測定された光強度とを比較する工程とを有することを要旨とする。
【００２５】
請求項４記載の本発明は、光ファイバの一部を凸部と凹部で挟み込み、曲げが付与されたこの光ファイバから漏洩する光の強度を測定する光ファイバ心線対照装置であって、凹部は、曲げを付与する凹部先端を中心に両側に開口される漏洩光を取り込むための第１開口部及び第２開口部と、この第１及び第２開口部を受光素子面上に連続して滑動する滑動手段を少なくとも備え、凸部は、凹部と連動して滑動する滑動手段を備え、凸部と凹部で光ファイバの一部を把持した状態で、この凸部、この凹部及び光ファイバを一体に受光素子面上を滑動させて凹部に設けられる第１及び第２開口部を介して漏洩光を受光することを要旨とする。
【００２６】
請求項５記載の本発明は、光ファイバの一部を凸部と凹部で挟み込み、曲げが付与されたこの光ファイバから漏洩する光の強度を測定する光ファイバ心線対照装置であって、凹部は、曲げを付与する凹部先端を中心に両側に開口される漏洩光を取り込むための第１開口部及び第２開口部と、この第１及び第２開口部を受光素子面上に連続して滑動する滑動手段を少なくとも備え、凸部と凹部で光ファイバの一部を把持した状態で、凹部のみを滑動させて凹部に設けられる第１及び第２開口部を介して漏洩光を受光することを要旨とする。
【００２７】
請求項６記載の本発明は、光ファイバの一部を凸部と凹部で挟み込み、曲げが付与されたこの光ファイバから漏洩する光の強度を測定する光ファイバ心線対照装置であって、凹部は、曲げを付与する凹部先端を中心に両側に開口される漏洩光を取り込むための第１開口部及び第２開口部を備え、漏洩光を受光する受光部は、この第１及び第２開口部を連続して通過する滑動手段を備え、凸部と凹部で光ファイバの一部を把持した状態で、受光部のみを凹部に設けられる第１及び第２開口部面上を連続して滑動させて各漏洩光を受光することを要旨とする。
【発明の効果】
【００２８】
本発明によれば、１個の受光素子を用い１回の測定で伝送方向を判別又は心線対照検出を行うことができるので、作業効率を向上し、且つ製品コストを抑制することができる光ファイバ心線対照装置、及び光ファイバ心線対照方法を提供することができる。
【発明を実施するための最良の形態】
【００２９】
以下、図面を参照して、本発明を実施するための最良の形態を説明する。
【００３０】
図１は、本発明の実施の形態に係る光ファイバ心線対照装置、又は光ファイバ活線判別装置に備えられる曲げ部１の断面構造を示す図である。尚、以下光ファイバ心線対照装置で統一して説明するが、本発明は活線判別装置にも適用可能である。
【００３１】
この曲げ部１は、光ファイバ９の一部を挟み込む凸部２と凹部３で構成されており、凹部３には、漏洩光を受光する受光素子１０が設けられている。凸部２には内部に中空部４が設けられており、この中空部４には、第１開口部８ｃに対向する位置に開口される第２開口部８ｄと、この第２開口部の左右両側に開口され且つ光ファイバ９上に開口される第１及び第２の光取り入れ口８ａ，８ｂと、この第１及び第２の光取り入れ口８ａ及び８ｂから取り込まれた漏洩光を受光素子１０に導く第１及び第２の導光手段５及び６と、２個の光取り入れ口のうち一方の光取り入れ口から取り込まれた漏洩光を遮断する切替手段７ａとが少なくとも備えられている。
【００３２】
ここで第１及び第２の導光手段５及び６とは、光取り入れ口８ａ，８ｂから取り込まれた漏洩光を受光素子１０に結合するものであって、例えばミラー等が挙げられる。
【００３３】
導光手段として例えばミラーを適用した場合には、ミラーの角度を、第１の光取り入れ口８ａで取り込まれた漏洩光を受光素子１０に結合させる角度に設定する必要がある。また第２の導光手段６も同様に、第２の光取り入れ口８ｂで取り込まれた漏洩光を受光素子１０に結合させる角度に設定する必要がある。
【００３４】
上記したように第１及び第２のミラー５及び６を設けると、各光取り込み口からの漏洩光は同時に受光素子１０に導光される。そこで片方の漏洩光のみを受光素子１０に導くために遮断手段７ａを設ける。
【００３５】
この遮断手段７ａは、第１及び第２のミラー５及び６で反射された漏洩光のうち一方の漏洩光を遮断して他方の漏洩光のみを受光素子１０に導くものであればよく、例えば光取り入れ口を直接覆うような開閉扉や、ミラーで反射した光を遮る板状の切替板等が挙げられる。
【００３６】
ここで遮断手段７ａとして切替板を適用した場合には、２枚のハの字型に配置されたミラー５，６の間に切替板を配置し、回転軸７ｂを軸にして２枚のミラー間をワイパーのように切り替えるようにする。このような構成とすることで１枚の切替板で、２本の漏洩光を効率良く遮断することができる。
【００３７】
次に、図２を参照して上記構成を有する曲げ部１の作用を説明する。
【００３８】
図２（ａ）（ｂ）は、第１の光取り込み口から取り込む漏洩光と第２の光取り込み口から取り込む漏洩光を切替板を用いて切り替える各状態を示す模式図である。
【００３９】
図２（ａ）に示すように、回転軸７ｂを軸にして切替板を受光素子１０よりも左側に配置させることで第１の光取り込み口８ａからの漏洩光を切替板で遮断することができる。一方、遮断されていない第２の取り込み口からの漏洩光は第２ミラー６で反射し受光素子１０に導光される。
【００４０】
次いでこの切替板を受光素子１０よりも右側に配置させると、図２（ｂ）に示すように、第２の光取り込み口８ｂから取り込まれた漏洩光は切替板で遮断されて受光素子には届かないが、第１の取り込み口から取り込まれた漏洩光は第１ミラー５で反射し受光素子１０に導光される。
【００４１】
ここで図２（ａ）に示したように、切替板が左側に配置されているときに受光した漏洩光の光強度が強く、図２（ｂ）に示したように切替板が右側に配置されているときに受光した漏洩光の光強度が弱いときには、光ファイバ９内を伝播する信号光の伝送方向は左から右に伝播していると判別することができる。
【００４２】
一方、図３（ａ）に示すように、切替板が左側に配置されているときに受光した漏洩光の光強度が弱く、図３（ｂ）に示すように切替板が右に右側に配置されているときに受光した漏洩光の光強度が弱いときには、光ファイバ９内を伝播する信号光の伝送方向は右から左に伝播していると判別することができる。
【００４３】
上記構成を有する曲げ部１によれば、１回の測定において切替板を左右に切り替えて、その時々の受光強度のレベル差を判別することで、伝送方向を確実に判別することができる。このとき切替板が設けられているので受光素子１０は１個済み、装置製造コストを抑制することができる。
【００４４】
尚、図１において中空部４は、凸部２の内部に設ける構成としたが、これに限らず、凹部３の内部に設けるようにしても上記同様の効果を得ることができる。
【００４５】
次に、図４を参照して、この曲げ部１を制御する制御装置と、この制御装置による伝送方向の判別方法を説明する。
【００４６】
この制御装置は、送信側と受信側に大きく分けられ、送信側は、光ファイバ９と、この光ファイバ９の一端に接続される発光素子１１と、この発光素子１１に電気信号を出力する従来の送信部回路（例えば図８における発信器１０３等）１２と、この光ファイバ９に曲げを付与する曲げ部１とで少なくとも構成されている。
【００４７】
一方受信側は、曲げ部１からの漏洩光を受光して電気信号に変換する受光素子１０と、電気信号を増幅する増幅回路１３と、従来の受信部回路１９（例えば図８におけるバンドパスフィルター１０６、整流回路１０７及びコンパレータ１０８等）を備え、更に増幅回路１３で増幅された信号を取得して記憶する第１及び第２のレベル記憶回路１４及び１５と、この第１及び第２のレベル記憶回路１４及び１５に記憶されたレベルを比較するコンパレータ１７と、その比較結果から通信光の伝送方向を判定する伝送方向判定部１８と、曲げ部１に具備される切替板の切替制御を行うと共に切り替えた方向を第１及び第２の記憶回路１４及び１５に伝達する切替板切替回路１６を少なくとも備えている。
【００４８】
このような構成において切替板切替回路１６は、曲げ部１に具備される切替板を一方の光取り込み口からの漏洩光を遮断し、他方の漏洩光を受光させる。このとき第１レベル記憶回路１４を記録可能状態に固定して、受光素子１０で受光した光強度を第１レベル記憶回路１４に記録させる。
【００４９】
同様にして、曲げ部１に具備される切替板を切り替えて、他方の光取り込み口からの漏洩光を遮断し、もう一方の漏洩光を受光させる。このとき第２レベル記憶回路１５を記録可能状態に固定して、受光素子１０で受光した光強度を第２レベル記憶回路１５に記録させる。
【００５０】
このような構成とすることにより、切替板を切り替えた際の受光レベルをそれぞれ第１及び第２記憶回路１４及び１５に記憶させることができるので、これをコンパレータで比較することで、伝送方向を判定することができる。
【００５１】
尚、第１及び第２レベル記憶回路１４及び１５の具体的な実現方法としては、例えばアナログ回路によりピークホールド回路を適用する方法や、Ａ／Ｄ変換を行ったデジタル値をＣＰＵなどで記憶する方法等が挙げられる。
【００５２】
従って、上記構成を有する曲げ部１及びこの曲げ部１を制御する制御回路を心線対照装置又は活線判別装置に設けることで、受光素子１個で、且つ１回の測定で、心線対照又は活線判別を行いつつ、同時に伝送方法の判別が可能になる。
【００５３】
次に、図５（ａ）を参照して、第２の実施の形態に係る曲げ部２０の構成を説明する。
【００５４】
この曲げ部２０は、光ファイバの一部を挟み込む凸部２１と凹部２２で構成されており、回転軸２３を軸にして、挟み込まれた光ファイバと共に凸部２１と凹部２２が左右方向に半回転する構成を有している。
【００５５】
凹部２２には２個の開口部が開口されており、この開口部が左右にスイングするときに描かれる軌跡上に漏洩光を受光するための受光素子が１個設けられている。
【００５６】
即ち曲げ部２０は、光ファイバの一部を挟み込む凸部２１と凹部２２を有し、凹部２２は、挟み込んだ光ファイバから漏れる漏洩光を通過させるための第１開口部２２ａと第２開口部２２ｂを備えている。この第１開口部２２ａと第２開口部２２ｂは、図１０に示した弱い漏洩光と強い漏洩光が発生する位置に合わせて開口されており、その開口面積は受光素子２４の受光面程度の面積を有する。凹部２２には更に、凹部自体を左右方向にスイングさせるための回転軸２３が設けられており、これを軸にして凹部２２が振り子のように半回転する構成となっている。
【００５７】
一方、凸部２１にも回転軸２３が設けられており、この回転軸２３を軸にして振り子のように半回転する構成となっている。このような凸部２１には、更に上下方向の移動を可能にする上下駆動部２５が設けられており、この上下駆動部２５の制御により凸部２１が上下移動して凹部２２と凸部２１の嵌合が可能になる。
【００５８】
そして曲げ部２０には、１個の受光素子２４が設けられるが、その受光素子２４は、回転軸２３を軸にしてスイングしたときに描かれる第１及び第２開口部２２ａ及び２２ｂの軌跡上に設置される。
【００５９】
次に、図５（ａ）〜（ｄ）を参照して、この曲げ部２０の作用を説明する。まず図５（ａ）に示すように、上下駆動部２５の制御により凸部２１と凹部２２を分離させた状態で、凹部２２に光ファイバ２６の一部分を配置して静かに凸部２１を降下させて挟み込む。
【００６０】
次いで図５（ｂ）に示すように、挟み込まれた光ファイバ２６の一方の端から検査光を入射する。入射された検査光は、曲げ部２０を通過する際に付与された曲げ部分から漏洩するので、このとき第１開口部２２ａの位置と受光素子２４の位置を一致させて漏洩光の光強度を測定する。
【００６１】
次いで図５（ｃ）に示すように、回転軸２３を軸にして、光ファイバ２６、凸部２１及び凹部２２を一体に矢印の方向に回転させる。
【００６２】
そして図５（ｄ）に示すように、第２開口部２２ｂの開口面が受光素子２４の受光面と一致したときに再び漏洩光の光強度を測定する。
【００６３】
ここで、図４に示した制御部にこのような曲げ部２０を組み込むと、第１開口面で受光した光強度と、第２開口部で受光した光強度をそれぞれ取得し比較を行うことができるので、その結果から伝送方向を確定することができる。
【００６４】
上記構成によれば、図１３、図１４に示したように光ファイバに新たな損失を付加せずに、１個の受光素子で活線判別又は心線対照を行うことができるようになる。
【００６５】
次に、図６（ａ）を参照して、第３の実施の形態に係る曲げ部３０の構成を説明する。
【００６６】
この曲げ部３０は、図５に示した曲げ部２０とよく似た構造を有しているが、凸部３１及び受光素子３４を固定し、凹部のみを半回転させるという点で上記曲げ部２０と異なる。
【００６７】
即ちこの曲げ部３０は、光ファイバの一部を挟み込む凸部３１と凹部３２で構成されており、凹部３２に設けられた回転軸３３を軸にして凹部３２のみをスイングさせる構成となっている。
【００６８】
このような構成により、凹部３２のみをスイングさせるだけで光ファイバに徐々に曲げを変化させながら加えることができるので、凸部３１及び凹部３２を一体に半回転させることなく、効率よく２種類の漏洩光の光強度を検出することができる。
【００６９】
次に、図６（ａ）〜（ｄ）を参照して、この曲げ部３０の作用を説明する。まず図６（ａ）に示すように、上下駆動部３５の制御により凸部３１と凹部３２を分離させた状態で、凹部３２に光ファイバ３６の一部分を配置して静かに凸部３１を降下させて挟み込む。
【００７０】
次いで図６（ｂ）に示すように、挟み込まれた光ファイバ３６の一方の端から検査光を入射させる。検査光は曲げ部３０を通過する際に、付与された曲げ部分で光を漏洩させるので、このとき開口部の位置と受光素子３４の位置を一致させておくことで漏洩光の光強度を測定する。ここでこの開口部を第１開口部３２ａとする。
【００７１】
次いで図６（ｃ）に示すように、回転軸３３を軸にして、凹部３２のみを凸部３１の曲面に沿うように図中の矢印の方向にスライドさせる。
【００７２】
そして図６（ｄ）に示すように、第２開口部３２ｂの開口面が受光素子２４の受光面に一致するまでスライドさせた後に、この第２開口部からの漏洩光の光強度を測定する。
【００７３】
ここで、図４に示した制御部にこのような曲げ部３０を組み込むと、第１開口面で受光した光強度と、第２開口部で受光した光強度をそれぞれ取得し比較を行うことができるので、その結果から伝送方向を確定することができる。  
上記構成によれば、図１３、図１４に示したように光ファイバに新たな損失を付加せずに、１個の受光素子で心線対照又は活線判別を行うことができるうえ、凹部３２のみを駆動させればよいので、より簡便な構成で効率よく心線対照又は活線判別を行うことができる。
【００７４】
次に、図７（ａ）を参照して、第４の実施の形態に係る曲げ部４０の構成を説明する。
【００７５】
この曲げ部４０は、図５，図６に示した曲げ部２０，３０とよく似た構造を有しているが、凸部４１及び凹部４２を固定し、受光素子４４のみを半回転させるという点で上記曲げ部２０，３０と異なる。
【００７６】
即ちこの曲げ部４０は、光ファイバの一部を挟み込む凸部４１と凹部４２で構成されており、回転軸４３を軸にして受光素子４４を備える振り子部４７のみを凹部４２に設けられた第１及び第２開口部４２ａ及び４２ｂが設けられた面に沿うようにスイングさせる構成となっている。
【００７７】
このような構成により、振り子部４７のみをスイングさせることで、凸部３１及び凹部３２を一体に半回転させることなく、２種類の漏洩光の光強度を検出することができる。
【００７８】
次に、図７（ａ）〜（ｄ）を参照して、この曲げ部４０の作用を説明する。まず図７（ａ）に示すように、上下駆動部４５の制御により凸部４１と凹部４２を分離させた状態で、凹部４２に光ファイバ４６の一部分を配置して静かに凸部４１を降下させて挟み込む。
【００７９】
次いで図７（ｂ）に示すように、挟み込まれた光ファイバ４６の一方の端から検査光を入射させる。検査光は曲げ部４０を通過する際に、曲げ付与部分を境にその前とその後とで漏洩する光の強度が変わるので、まずは振り子部４７をどちらか一方の開口部に設定して、この開口部から漏洩する漏洩光を振り子部４７に設けられら受光素子４４で受光させる。ここでこの開口部を第１開口部４２ａとする。
【００８０】
次いで図７（ｃ）に示すように、回転軸４３を軸にして、振り子部４７を凹部４２の曲面を沿うように図中の矢印の方向にスライドさせる。
【００８１】
そして図７（ｄ）に示すように、第２開口部４２ｂの開口面が受光素子４４の受光面に一致するまでスライドさせた後に、この第２開口部からの漏洩光の光強度を測定する。
【００８２】
ここで、図４に示した制御部にこのような曲げ部４０を組み込むと、第１開口面４２ａで受光した光強度と、第２開口部４２ｂで受光した光強度をそれぞれ取得し比較を行うことができるので、その結果から伝送方向を確定することができる。  
上記構成によれば、図１３、図１４に示したように光ファイバに新たな損失を付加せずに、１個の受光素子で活線判別又は心線対照を行うことができるうえ、更に光ファイバは固定した状態で振り子部４７のみを半回転させればよいので、より簡便な構成で高信頼性を有する活線判別又は心線対照を行うことができる。
【図面の簡単な説明】
【００８３】
【図１】本発明の実施の形態に係る光ファイバ心線対照装置、又は光ファイバ活線判別装置に備えられる曲げ部１の構成を示す図である。
【図２】本発明の実施の形態に係る光ファイバ心線対照装置、又は光ファイバ活線判別装置に備えられる曲げ部１の作用を示す図である。
【図３】本発明の実施の形態に係る光ファイバ心線対照装置、又は光ファイバ活線判別装置に備えられる曲げ部１の作用を示す図である。
【図４】本発明の実施の形態に係る光ファイバ心線対照装置、又は光ファイバ活線判別装置の構成を示す図である。
【図５】本発明の第２の実施の形態に係る曲げ部２０の構成及び作用を説明する図である。
【図６】本発明の第３の実施の形態に係る曲げ部３０の構成及び作用を説明する図である。
【図７】本発明の第４の実施の形態に係る曲げ部４０の構成及び作用を説明する図である。
【図８】従来の光ファイバ活線判別装置の構成を示す図である。
【図９】従来の光ファイバ心線対照装置の構成を示す図である。
【図１０】従来の光ファイバ心線対照装置、又は光ファイバ活線判別装置に備えられる曲げ部１２０の構成を示す図である。
【図１１】従来の他の曲げ部１３０の構成を示す図である。
【図１２】従来の更に他の曲げ部１４０の構成を示す図である。
【図１３】従来の信号光の伝搬方向を検出するための検出方法を示す模式図である。
【図１４】従来の信号光の伝搬方向を検出するための他の検出方法を示す模式図である。
【符号の説明】
【００８４】
１、２０、３０、４０…曲げ部
２、２１、３１、４１…凸部
３、２２、３２、４２…凹部
４…中空部
５…第１のミラー（第１の導光手段）
６…第２のミラー（第２の導光手段）
７ａ…切替手段（遮断手段）
７ｂ…回転軸
８ａ…第１光取り込み口
８ｂ…第２光取り込み口
８ｃ…第１開口部
８ｄ…第２開口部
９…光ファイバ
１０…受光素子
１１…発光素子
１３…増幅回路
１４…第１レベル記憶回路
１５…第２レベル記憶回路
１６…切替板切替回路
１７…コンパレータ
１８…伝送方向判定部
１９…受信部回路
２２ａ、３２ａ、４２ａ…第１開口部
２２ｂ、３２ｂ、４２ｂ…第２開口部
２３、３３、４３…回転軸
２４、３４、４４…受光素子
２５、３５、４５…上下駆動部
２６、３６、４６…光ファイバ
【図１】
2005265524.tif 000003
【図２】
2005265524.tif 000004
【図３】
2005265524.tif 000005
【図４】
2005265524.tif 000006
【図５】
2005265524.tif 000007
【図６】
2005265524.tif 000008
【図７】
2005265524.tif 000009
【図８】
2005265524.tif 000010
【図９】
2005265524.tif 000011
【図１０】
2005265524.tif 000012
【図１１】
2005265524.tif 000013
【図１２】
2005265524.tif 000014
【図１３】
2005265524.tif 000015
【図１４】
2005265524.tif 000016